(57)【要約】【課題】  丈夫で使い勝手のよい表紙、この表紙を備えるファイル、及び、表紙の製造方法を提供する。【解決手段】表裏面を有する基材２と、基材２の表面の所定位置に基材２の厚み方向に窪むように形成された複数の凹部３と、基材２の表裏面に貼り付けられた樹脂製の被覆材４と、を備え、被覆材４は、複数の凹部３に密着するように貼り付けられており、凹部３が形成された位置で区切られることにより表表紙１０、背表紙１２および裏表紙１１がそれぞれ形成されている表紙１である。【選択図】図４
2013014072.tif 000002
【特許請求の範囲】
【請求項１】
表裏面を有する基材と、
前記基材の表面及び／又は裏面の所定位置に当該基材の厚み方向に窪むように形成された複数の凹部と、
前記基材の表裏面に貼り付けられた樹脂製の被覆材と、を備え、
前記被覆材は、前記複数の凹部に密着するように貼り付けられており、
前記凹部が形成された位置で区切られることにより表表紙、背表紙及び裏表紙が形成されている表紙。
【請求項２】
請求項１に記載の表紙と、
前記表紙の少なくとも一部に固定された留め具とを備えるファイル。
【請求項３】
平らな基材の表面及び／又は裏面の所定位置に当該基材の厚み方向に窪む複数の凹部を形成する凹部形成ステップと、
前記基材の表裏面に樹脂製の被覆材を貼り付ける貼付ステップと、を備え、
前記貼付ステップは、前記被覆材を前記凹部に密着させる凹部密着ステップを備える表紙の製造方法。
【発明の詳細な説明】
【技術分野】
【０００１】
本発明は、ファイルやアルバム等に用いられる表紙、この表紙を備えるファイル、及び、表紙の製造方法に関する。
【背景技術】
【０００２】
従来から、ファイルやアルバム等に用いられる表紙として例えば特許文献１に記載のような構成が知られており、この構成は、図６に示すように、表裏面を有する基材１０１と、基材１０１の表裏面の所定位置に形成された複数の凹部１０２と、を備えている。そして、基材１０１が凹部１０２によって区切られることにより表表紙１０３、裏表紙１０４、背表紙１０５が形成されている。また、裏表紙１０４には、紙を綴じるための留め具１０６が固定されている。このような表紙によれば、凹部１０２を境目にして表表紙１０３あるいは裏表紙１０４を折り返すことにより、表紙を開くことができる。
【０００３】
また、このような表紙では、基材１０１の表裏面を保護するために、基材１０１の表裏面を被覆材により被覆することがある。
【先行技術文献】
【特許文献】
【０００４】
【特許文献１】実開平２−１０６３８０号公報
【特許文献２】実開昭５６−１０８５５９号公報
【発明の概要】
【発明が解決しようとする課題】
【０００５】
しかしながら、上記の表紙において、基材１０１の表裏面を単純に被覆材により被覆すると、この被覆材が表紙の開閉の動きに追従することができず、表紙が開き難くなったり、表紙を開くときに基材１０１を被覆している被覆材が破れることなどがあった。また、表紙を開いてもすぐに閉じてしまうこともあった。一方、表紙を開き易くするために、基材１０１を切り離し、表表紙１０３、裏表紙１０４及び背表紙１０５における基材１０１をそれぞれ独立させ、独立した基材１０１を被覆材により繋ぎ合わせる構成も考えられるが（例えば、特許文献２参照）、このような構成では、繋ぎ合せた部分の強度が弱くなり、耐久性が低下してしまうという問題があった。したがって、このようなことを防ぐためにも、被覆材による被覆の方法を工夫する必要があった。
【０００６】
本発明は、上記問題を解決するためになされたものであって、丈夫で使い勝手のよい表紙、この表紙を備えるファイル、及び、表紙の製造方法の提供を目的とする。
【課題を解決するための手段】
【０００７】
本発明の前記目的は、表裏面を有する基材と、前記基材の表面及び／又は裏面の所定位置に当該基材の厚み方向に窪むように形成された複数の凹部と、前記基材の表裏面に貼り付けられた樹脂製の被覆材と、を備え、前記被覆材が、前記複数の凹部に密着するように貼り付けられており、前記凹部が形成された位置で区切られることにより表表紙、背表紙及び裏表紙が形成されている表紙により達成することができる。
【０００８】
このような構成によれば、被覆材が凹部に密着するので、凹部を境目にして表紙を折り返したときに、被覆材が基材の動きに順応できる。これにより、表紙を広範な角度にわたって折り返すことができる。また、表紙を折り返したときに被覆材が過度に引っ張られることがなく、被覆材の破れを防ぐことができる。また、樹脂製の被覆材により凹部の表裏両面を保護するので、凹部（屈曲部）の強度を高めることができる。したがって、丈夫で使い勝手のよい表紙を得ることができる。
【０００９】
また、上記の表紙と、前記表紙の少なくとも一部に固定された留め具とを備えるファイルにすることもできる。
【００１０】
また、本発明の前記目的は、平らな基材の表面及び／又は裏面の所定位置に当該基材の厚み方向に窪む複数の凹部を形成する凹部形成ステップと、前記基材の表裏面に樹脂製の被覆材を貼り付ける貼付ステップと、を備え、前記貼付ステップが、前記被覆材を前記凹部に密着させる凹部密着ステップを備える表紙の製造方法により達成することができる。
【発明の効果】
【００１１】
本発明の表紙、この表紙を備えるファイル、及び、表紙の製造方法によれば、丈夫で使い勝手のよい表紙を得ることができる。
【図面の簡単な説明】
【００１２】
【図１】本発明の一実施形態に係る表紙の斜視図である。
【図２】表紙を閉じたときの側面図である。
【図３】表紙を開いたときの側面図である。
【図４】表紙を開いたときの要部を拡大して示す断面図である。
【図５】基材の平面図である。
【図６】従来の表紙の側面図である。
【発明を実施するための形態】
【００１３】
以下、本発明の実施形態について添付図面を参照して説明する。図１は、本発明の一実施形態に係る表紙の斜視図であり、図２は、この表紙を閉じたときの側面図であり、図３は、この表紙を開いたときの側面図である。図１〜図３に示すように、この表紙１は、表表紙１０、裏表紙１１、背表紙１２および一対の屈曲部１３、１３を備えている。一対の屈曲部１３、１３は表紙１の一方辺から他方辺まで平行な直線状に延びており、それぞれの屈曲部１３は、表表紙１０と背表紙１２との間、または、裏表紙１１と背表紙１２との間において延びている。表表紙１０、裏表紙１１および背表紙１２はそれぞれ屈曲部１３を介して繋がっており、この屈曲部１３を基点にして折り返すことができ、これにより表紙１を開くことができる。このような表紙１は、ファイルやアルバム等の表紙として用いることができ、例えば、背表紙１２の中央部に紙などを留めるための留め具１５を取り付けて使用することができる。
【００１４】
図４は、表紙を開いたときの要部（図３におけるＡ部分）を拡大して示す断面図である。なお、図４では留め具１５を省略して示している。この図４に示すように、表紙１は、表裏面を有する基材２と、基材２の表面（内面）において陥没するように形成された複数の凹部３と、基材２の表裏面を被覆する被覆材４とを備えている。
【００１５】
基材２は平らな厚紙やボール紙等からなり、基材２の厚み及び形状は表紙１の用途に応じて適宜変更可能である。そして、この平らな基材２に対して凹部３が形成されている。
【００１６】
複数の凹部３は、基材２の表面（内面）の所定位置において、基材２の厚み方向に窪むように形成されている。また、図５は、基材の平面図であり、図５に示すように、複数の凹部３は、基材２一方辺から他方辺まで平行な直線状に延びている。そして、この凹部３が形成されることにより、表紙１の屈曲部１３が形成される。また、凹部３が形成される位置は、背表紙１２の幅ｗに応じて適宜変更可能である。そして、凹部３が形成された位置で表紙１が区切られることにより表表紙１０、背表紙１２および裏表紙１１がそれぞれ形成されている。
【００１７】
被覆材４は、伸縮性のある薄い樹脂製のシート材からなり、その材質としては、例えば、ポリプロピレンを用いることができる。また、被覆材４の形状は基材２を被覆できれば特に限定されず適宜変更可能である。また、この被覆材４は、公知の接着剤により基材２の表裏面に密着するように貼り付けられており、各凹部３においても隙間をあけないように密着している。また、この被覆材４は、基材２の各辺（縁）においては、公知の表紙と同様に、折り返して基材２に貼り付けられるなどして整形処理されている。
【００１８】
留め具１５は、２つのパンチ穴を有する紙を固定するためのものであり、パンチ穴に挿入できるように構成されている公知の部品である。
【００１９】
次に、表紙の製造方法について説明する。表紙１を製造するときは、まず、平らな表裏面を有する基材２を準備し、この基材２の表面（内面）の所定位置を基材２の厚み方向に削り取ることにより凹部３を形成する（凹部形成ステップＳ１）。本実施形態では、図５に示すように、平面視長方形状の基材２を用いており、表紙１の表表紙１０、背表紙１２および裏表紙１１を区切る位置にそれぞれ直線状の凹部３が形成される。凹部３を形成するために基材２を削り取る方法は特に限定されるものではないが、例えば、凹部３の形状に対応する切削刃を用いて、基材２の表面（内面）を削り取ることができる。このときの凹部３の深さは特に限定されるものではなく適宜調整可能である。
【００２０】
次に、凹部３が形成された基材２の表裏面に被覆材４を貼り付ける（貼付ステップＳ２）。詳細に説明すると、まず、基材２の表裏面に接着剤を塗布し、基材２の表裏面と被覆材４の貼着面とを密着させる。また、このとき、基材２の表面（内面）に形成された凹部３と、被覆材４の貼着面とを密着させる（凹部密着ステップＳ２０）。凹部３と被覆材４とを密着させる方法は特に限定されるものではないが、例えば、図示しない押圧ローラーを凹部３に沿って転動させることにより、凹部３を被覆する被覆材４を押圧ローラーによって押圧し、これにより凹部３と被覆材４の貼着面とを密着させることができる。また、貼付ステップでは、被覆材４の端部を整形処理する。詳細には、被覆材４の端部を基材２の各辺に沿って折り返し、基材２の表面又は裏面に貼り付ける。これにより、基材２の縁において被覆材４が整形処理される。このようにして基材２が被覆材４により被覆され、表紙１が製造される。
【００２１】
また、上述のような表紙１を用いてファイルやアルバム等を製造するときは、この表紙１に対して、ファイルやアルバム用の各部品を取り付けることができる。例えば、ファイルを製造する場合は、表紙１の背表紙１２に対して、ネジ等により留め具１５を取り付ける。また、アルバムを製造する場合には、透明のフィルムなどを表紙１に固定してもよい。また、留め具１５や透明フィルムの固定位置は適宜変更可能である。
【００２２】
上述のような表紙１および表紙１の製造方法によれば、被覆材４が凹部３に密着するので、凹部３（屈曲部１３）を基準にして表紙１を折り返したときに、被覆材４が基材２の動きに順応できる。これにより、図２及び図３に示すように、表紙１の裏表紙１１（または、表表紙１０）を広範な角度にわたって折り返すことができる。また、裏表紙１１（または、表表紙１０）を折り返したときに被覆材４が過度に引っ張られることがなく、被覆材４の破れを防ぐことができる。また、樹脂製の被覆材４により凹部３を被覆して密着するので、凹部３の表裏両面（屈曲部１３）を樹脂シートで保護することができ、凹部３（屈曲部１３）の強度を高めることができる。したがって、丈夫で使い勝手のよい表紙１を得ることができる。
【００２３】
以上、本発明の一実施形態について説明したが、本発明の具体的な態様は、上記実施形態に限定されるものではない。例えば、上記実施形態では、基材２の表面（内面）に凹部３を形成していたが、この表面（内面）に限定されるものではなく、基材２の裏面（外面）に凹部３を形成してもよい。また、基材２の表裏両面（内外両面）に凹部３を形成してもよい。この場合は、基材２の表面側の凹部３と裏面側の凹部３とが基材２の厚み方向に対向するように形成することが好ましい。
【００２４】
また、上記実施形態では、基材２を削ることにより凹部３を形成していたが、凹部３の形成方法は特に限定されるものではなく、例えば、凹部３の形状に対応する金型を有するプレス機を用いて、基材２の表面及び／又は裏面を押圧して基材２を陥没させることにより凹部３を形成することができる。また、公知のカッターナイフにより基材２の表面及び／又は裏面を凹部３の形状に切り取ることにより形成することもできる。
【符号の説明】
【００２５】
１    表紙
２    基材
３    凹部
４    被覆材
１０    表表紙
１１    裏表紙
１２    背表紙
１３    屈曲部
１５    留め具
【図１】
2013014072.tif 000003
【図２】
2013014072.tif 000004
【図３】
2013014072.tif 000005
【図４】
2013014072.tif 000006
【図５】
2013014072.tif 000007
【図６】
2013014072.tif 000008